(57)【要約】      （修正有）【課題】折り畳んで収縮可能な電子決済システム付きの移動端末を提供する。【解決手段】移動端末は機体を含み、前記機体の中には開口溝が設置され、前記開口溝の右端壁の中にはモータが固定的に設置され、前記開口溝の中には回転軸によって回転板１２が回転可能に設置され、前記回転軸の前端は前記モータに伝動可能に連結され、前記回転板にはキーパッド１５が装着され、前記キーパッドの左側にはロック溝が設置され、移動端末は折り畳んで収縮でき、非使用時に、前記キーパッドと、スクリーン５２と、スキャナ５４とは機体内部に囲まれ、安全性を向上させ、装置の使用寿命を延ばし、また、移動端末には太陽エネルギー装置６０５が設置され、設備の通電状態を維持する。【選択図】図１
2020198062.tif 000002
【特許請求の範囲】
【請求項１】
正面視で、機体を含み、
前記機体の中には開口溝が設置され、前記開口溝の右端壁の中にはモータが固定的に設置され、前記開口溝の中には回転軸によって回転板が回転可能に設置され、前記回転軸の前端は前記モータに伝動可能に連結され、前記回転板にはキーパッドが装着され、前記キーパッドの左側にはロック溝が設置され、前記開口溝の前側にはロック装置が設置され、前記ロック装置と前記ロック溝との引掛りで前記回転板を固定でき、前記ロック装置の下側には動力転換装置が設置され、前記開口溝の下側には圧迫伝動装置が設置され、前記圧迫伝動装置と前記動力転換装置との固定的な連結は前記動力転換装置の作動を制御でき、前記圧迫伝動装置の右側には前記開口溝と連通した収縮溝が設置され、
前記収縮溝の中には転向軸によって収縮板が回転可能に設置され、前記収縮板にはスクリーンが装着され、前記スクリーンの右側にはスキャナが装着され、前記収縮板の下端壁の中には支持棒が回転可能に設置され、前記収縮溝の下側には支持装置が設置され、前記支持棒の他端と前記支持装置とは伝動可能に連結され、
前記支持装置の下側には太陽エネルギー装置が設置され、前記太陽エネルギー装置の右側には密封装置が設置され、前記密封装置は前記太陽エネルギー装置を密封することで前記太陽エネルギー装置を保護できることを特徴とする電子決済システム付きの移動端末。
【請求項２】
前記スキャナと前記スクリーンとは本発明における電子決済システムと連結されていることを特徴とする請求項１に記載の電子決済システム付きの移動端末。
【請求項３】
前記ロック装置は前記開口溝と連通したロックスライド溝を含み、
前記ロックスライド溝の中にはロックスライドブロックがスライド可能に設置され、前記ロックスライドブロックの後端は前記ロック溝の中に伸びており、前記ロックスライドブロックの前端と前記ロックスライド溝との間には捻りばねが固定的に設置され、前記ロックスライドブロックの中には貫通溝が設置され、
前記ロックスライド溝の下側には回し溝が連通するように設置され、前記回し溝の中には回し棒が回転可能に設置され、前記回し棒の上端は前記貫通溝の中に伸びており、前記回し棒の下端には引き紐が固定的に設置され、前記引き紐の他端と前記動力転換装置とは伝動可能に連結されていることを特徴とする請求項１に記載の電子決済システム付きの移動端末。
【請求項４】
前記動力転換装置は前記開口溝と連通した圧迫溝を含み、
前記圧迫溝の中には圧迫ブロックがスライド可能に設置され、前記圧迫ブロックの下端には圧迫ばねが固定的に設置され、前記圧迫ブロックの前端には固定棒が固定的に設置され、前記固定棒の他端と前記動力転換装置とは固定的に連結され、
前記圧迫溝の右端壁の中には噛合歯車が回転可能に設置され、前記噛合歯車の左端と前記圧迫ブロックとが噛み合っており、前記噛合歯車の前端面には第一傘歯車が固定的に設置され、前記第一傘歯車の右側には第二傘歯車が噛み合うように連結され、前記第二傘歯車の右端面には歯車軸が固定的に設置され、前記歯車軸と前記支持装置とは伝動可能に連結されていることを特徴とする請求項１に記載の電子決済システム付きの移動端末。
【請求項５】
前記支持装置は前記収縮溝と連通した推動溝を含み、
前記推動溝の中には推動ブロックが設置され、前記推動ブロックの右端と前記支持棒とがヒンジで連結され、前記推動ブロックの中心にはネジ山軸がネジ山によって連結され、
前記推動溝の左側には噛合溝が連通するように設置され、前記ネジ山軸の左端は前記噛合溝の中に伸びており、且つ前記ネジ山軸には第一歯車が固定的に設置され、前記歯車軸の右端は前記噛合溝の中に伸びており、且つ前記歯車軸には第二歯車が固定的に設置され、前記第二歯車と前記第一歯車とは噛み合っていることを特徴とする請求項１に記載の電子決済システム付きの移動端末。
【請求項６】
前記太陽エネルギー装置は外部と連通した移動チャンバを含み、
前記移動チャンバの下端壁にはラックが固定的に設置され、前記移動チャンバの中には移動ブロックがスライド可能に設置され、前記移動チャンバの外側には移動装置が設置され、前記移動装置が作動し前記移動ブロックを移動させ、
前記移動ブロックには蓄電池が設置され、前記蓄電池の左側には伝動チャンバが設置され、前記伝動チャンバの中には伝動歯車が回転可能に設置され、前記伝動歯車と前記ラックとは噛み合うことができ、前記伝動歯車の右側には第三傘歯車が噛み合うように連結され、前記第三傘歯車の軸心には心軸が固定的に設置され、
前記移動ブロックの右端面には前後対称の固定板が固定的に設置され、前記心軸の右端は前記固定板の間に伸びており、且つ前記心軸には第四傘歯車が固定的に設置され、前記第四傘歯車の後側には第五傘歯車が噛み合うように連結され、前記固定板の間には連結軸が回転可能に設置され、前記連結軸にはソーラーパネルが固定的に装着され、前記ソーラーパネルの中には回転溝が設置され、前記回転溝の中にある前記連結軸には固定転輪が固定的に設置され、前記固定転輪と前記第五傘歯車とはタイミングベルトによって伝動可能に連結されていることを特徴とする請求項１に記載の電子決済システム付きの移動端末。
【請求項７】
前記ソーラーパネルと前記蓄電池とは通電可能に連結されていることを特徴とする請求項６に記載の電子決済システム付きの移動端末。
【請求項８】
前記移動装置は前後対称で、且つ前記移動チャンバと連通した移動ガイド溝を含み、
前記移動ガイド溝の中には移動親ねじが回転可能に設置され、前記移動親ねじには移動ガイドブロックがネジ山によって連結され、前記移動ガイドブロックと前記移動ブロックとは固定的に連結され、前記移動親ねじの左端は連結ベルトによって伝動可能に連結され、前側の前記移動親ねじと前記動力転換装置とは伝動可能に連結されていることを特徴とする請求項１に記載の電子決済システム付きの移動端末。
【請求項９】
前記密封装置は昇降溝を含み、
前記昇降溝と前記移動チャンバとは連通しており、前記昇降溝の中には密封板がスライド可能に設置され、前記密封板の下端と前記移動チャンバの下端壁とが当接しており、前記密封板の上端と前記回転板とが当接しており、前記密封板の左端面には前記密封板を復位させることができる復位ユニットが固定的に設置されていることを特徴とする請求項１に記載の電子決済システム付きの移動端末。
【請求項１０】
前記動力転換装置は転換チャンバを含み、
前記転換チャンバの中には転換ブロックが設置され、
前記転換ブロックの下端には伸縮ばねが固定的に設置され、前記転換ブロックの後端と前記固定棒とが固定的に連結され、前記転換ブロックの中にはモータが装着され、前記モータの上下端にはスプラインスリーブが対称的に装着され、
前記転換チャンバの上側には糸巻溝が連通するように設置され、前記糸巻溝の中には連結スプライン軸が回転可能に設置され、前記連結スプライン軸は上側の前記スプラインスリーブとスプラインで連結され、前記連結スプライン軸には糸巻輪が固定的に設置され、前記引き紐の一端は前記糸巻溝の中に伸びており、且つ前記糸巻輪に巻き付いており、
前記転換チャンバの下側には空きチャンバが連通するように設置され、前記空きチャンバの中には伝動スプライン軸によって第六傘歯車が回転可能に設置され、前記伝動スプライン軸は下側の前記スプラインスリーブとスプラインで連結されることができ、前記第六傘歯車の右側には第七傘歯車が噛み合うように連結され、前記第七傘歯車と前側の前記移動親ねじとは伝動ベルトによって伝動可能に連結されていることを特徴とする請求項１に記載の電子決済システム付きの移動端末。
【発明の詳細な説明】
【技術分野】
【０００１】
本発明は電子決済技術分野を取り上げ、具体的には電子決済システム付きの移動端末である。
【背景技術】
【０００２】
伝統的な電子決済システム付きの移動端末は構成も外形も定着され、折り畳んで収縮できず、体積が大きくて携帯しにくいのである。また、伝統的な設備のスクリーンとキーパッドとの位置が定着され、且つ伝統的な設備のスクリーンとキーパッドとが外部に露出されており、携帯時又は収納時に、圧迫や接触などでキーやスクリーンなどに損害を与える恐れがある。さらに、移動設備には自発電装置が設置されていないため、通電しなくなると使用できなくなる。本発明は以上の問題を解決できる装置である。
【先行技術文献】
【特許文献】
【０００３】
【特許文献１】中国特許出願公開第１０５６１１０１２号明細書
【発明の概要】
【発明が解決しようとする課題】
【０００４】
本発明は電子決済システム付きの移動端末を提供し、既存技術にある上記の欠点を解消することを目的とする。
【課題を解決するための手段】
【０００５】
本発明の電子決済システム付きの移動端末は、機体を含み、前記機体の中には開口溝が設置され、前記開口溝の右端壁の中にはモータが固定的に設置され、前記開口溝の中には回転軸によって回転板が回転可能に設置され、前記回転軸の前端は前記モータに伝動可能に連結され、前記回転板にはキーパッドが装着され、前記キーパッドの左側にはロック溝が設置され、前記開口溝の前側にはロック装置が設置され、前記ロック装置と前記ロック溝との引掛りで前記回転板を固定でき、前記ロック装置の下側には動力転換装置が設置され、前記開口溝の下側には圧迫伝動装置が設置され、前記圧迫伝動装置と前記動力転換装置との固定的な連結は前記動力転換装置の作動を制御でき、前記圧迫伝動装置の右側には前記開口溝と連通した収縮溝が設置され、前記収縮溝の中には転向軸によって収縮板が回転可能に設置され、前記収縮板にはスクリーンが装着され、前記スクリーンの右側にはスキャナが装着され、前記収縮板の下端壁の中には支持棒が回転可能に設置され、前記収縮溝の下側には支持装置が設置され、前記支持棒の他端と前記支持装置とは伝動可能に連結され、前記支持装置の下側には太陽エネルギー装置が設置され、前記太陽エネルギー装置の右側には密封装置が設置され、前記密封装置は前記太陽エネルギー装置を密封することで前記太陽エネルギー装置を保護でき、前記回転板が回転して開き、前記支持装置に前記収縮板を連動させ、前記収縮板は上昇し、且つ傾斜し、前記スプラインと前記スキャナとの使用に便利であり、前記太陽エネルギー装置は太陽エネルギーを電気に変えて装置全体の作動に供給できる。
【０００６】
さらなる技術プランとして、前記スキャナと前記スクリーンとは本発明における電子決済システムと連結され、それにより、前記スキャナは電子支払コードをスキャンし、電子決済システムで取引を行え、また、前記スクリーンによって取引の過程と明細を表示できる。
【０００７】
さらなる技術プランとして、前記ロック装置は前記開口溝と連通したロックスライド溝を含み、前記ロックスライド溝の中にはロックスライドブロックがスライド可能に設置され、前記ロックスライドブロックの後端は前記ロック溝の中に伸びており、前記ロックスライドブロックの前端と前記ロックスライド溝との間には捻りばねが固定的に設置され、前記ロックスライドブロックの中には貫通溝が設置され、前記ロックスライド溝の下側には回し溝が連通するように設置され、前記回し溝の中には回し棒が回転可能に設置され、前記回し棒の上端は前記貫通溝の中に伸びており、前記回し棒の下端には引き紐が固定的に設置され、前記引き紐の他端と前記動力転換装置とは伝動可能に連結され、前記ロックスライドブロックと前記ロック溝との引掛りで前記回転板の位置を固定できる。
【０００８】
さらなる技術プランとして、前記動力転換装置は前記開口溝と連通した圧迫溝を含み、前記圧迫溝の中には圧迫ブロックがスライド可能に設置され、前記圧迫ブロックの下端には圧迫ばねが固定的に設置され、前記圧迫ブロックの前端には固定棒が固定的に設置され、前記固定棒の他端と前記動力転換装置とは固定的に連結され、前記圧迫溝の右端壁の中には噛合歯車が回転可能に設置され、前記噛合歯車の左端と前記圧迫ブロックとが噛み合っており、前記噛合歯車の前端面には第一傘歯車が固定的に設置され、前記第一傘歯車の右側には第二傘歯車が噛み合うように連結され、前記第二傘歯車の右端面には歯車軸が固定的に設置され、前記歯車軸と前記支持装置とは伝動可能に連結され、前記圧迫ブロックが昇降し、前記固定棒によって前記動力転換装置と前記支持装置との作動を制御できる。
【０００９】
さらなる技術プランとして、前記支持装置は前記収縮溝と連通した推動溝を含み、前記推動溝の中には推動ブロックが設置され、前記推動ブロックの右端と前記支持棒とがヒンジで連結され、前記推動ブロックの中心にはネジ山軸がネジ山によって連結され、前記推動溝の左側には噛合溝が連通するように設置され、前記ネジ山軸の左端は前記噛合溝の中に伸びており、且つ前記ネジ山軸には第一歯車が固定的に設置され、前記歯車軸の右端は前記噛合溝の中に伸びており、且つ前記歯車軸には第二歯車が固定的に設置され、前記第二歯車と前記第一歯車とは噛み合っており、前記ネジ山軸の回転は前記推動ブロックを移動させることができ、それにより、前記支持棒によって前記収縮板に収縮作業を行わせる。
【００１０】
さらなる技術プランとして、前記太陽エネルギー装置は外部と連通した移動チャンバを含み、前記移動チャンバの下端壁にはラックが固定的に設置され、前記移動チャンバの中には移動ブロックがスライド可能に設置され、前記移動チャンバの外側には移動装置が設置され、前記移動装置が作動し前記移動ブロックを移動させ、前記移動ブロックには蓄電池が設置され、前記蓄電池の左側には伝動チャンバが設置され、前記伝動チャンバの中には伝動歯車が回転可能に設置され、前記伝動歯車と前記ラックとは噛み合うことができ、前記伝動歯車の右側には第三傘歯車が噛み合うように連結され、前記第三傘歯車の軸心には心軸が固定的に設置され、前記移動ブロックの右端面には前後対称の固定板が固定的に設置され、前記心軸の右端は前記固定板の間に伸びており、且つ前記心軸には第四傘歯車が固定的に設置され、前記第四傘歯車の後側には第五傘歯車が噛み合うように連結され、前記固定板の間には連結軸が回転可能に設置され、前記連結軸にはソーラーパネルが固定的に装着され、前記ソーラーパネルの中には回転溝が設置され、前記回転溝の中にある前記連結軸には固定転輪が固定的に設置され、前記固定転輪と前記第五傘歯車とはタイミングベルトによって伝動可能に連結され、前記ソーラーパネルは太陽エネルギーを電気に変えて利用できる。
【００１１】
さらなる技術プランとして、前記ソーラーパネルと前記蓄電池とは通電可能に連結され、それにより、前記ソーラーパネルは太陽エネルギーを電気に変えた後に、電気を蓄電池の中に貯蔵できる。
【００１２】
さらなる技術プランとして、前記移動装置は前後対称で、且つ前記移動チャンバと連通した移動ガイド溝を含み、前記移動ガイド溝の中には移動親ねじが回転可能に設置され、前記移動親ねじには移動ガイドブロックがネジ山によって連結され、前記移動ガイドブロックと前記移動ブロックとは固定的に連結され、前記移動親ねじの左端は連結ベルトによって伝動可能に連結され、前側の前記移動親ねじと前記動力転換装置とは伝動可能に連結され、前記移動装置は前記移動ブロックの水平移動を連動させることができる。
【００１３】
前記密封装置は昇降溝を含み、前記昇降溝と前記移動チャンバとは連通しており、前記昇降溝の中には密封板がスライド可能に設置され、前記密封板の下端と前記移動チャンバの下端壁とが当接しており、前記密封板の上端と前記回転板とが当接しており、前記密封板の左端面には前記密封板を復位させることができる復位ユニットが固定的に設置され、前記密封板が前記移動チャンバを密封することで、前記ソーラーパネルを保護できる。
【００１４】
さらなる技術プランとして、前記動力転換装置は転換チャンバを含み、前記転換チャンバの中には転換ブロックが設置され、前記転換ブロックの下端には伸縮ばねが固定的に設置され、前記転換ブロックの後端と前記固定棒とが固定的に連結され、前記転換ブロックの中にはモータが装着され、前記モータの上下端にはスプラインスリーブが対称的に装着され、前記転換チャンバの上側には糸巻溝が連通するように設置され、前記糸巻溝の中には連結スプライン軸が回転可能に設置され、前記連結スプライン軸は上側の前記スプラインスリーブとスプラインで連結され、前記連結スプライン軸には糸巻輪が固定的に設置され、前記引き紐の一端は前記糸巻溝の中に伸びており、且つ前記糸巻輪に巻き付いており、前記転換チャンバの下側には空きチャンバが連通するように設置され、前記空きチャンバの中には伝動スプライン軸によって第六傘歯車が回転可能に設置され、前記伝動スプライン軸は下側の前記スプラインスリーブとスプラインで連結されることができ、前記第六傘歯車の右側には第七傘歯車が噛み合うように連結され、前記第七傘歯車と前側の前記移動親ねじとは伝動ベルトによって伝動可能に連結され、前記モータは前記ロック装置の作動と前記移動装置の作動とをそれぞれ駆動できる。
【発明の効果】
【００１５】
本発明のメリットは：本発明の移動端末は折り畳んで収縮でき、非使用時に、キーパッドと、スクリーンと、スキャナとは機体内部に囲まれ、安全性を向上させ、装置の使用寿命を延ばし、また、移動端末には太陽エネルギーによる発電装置が設置され、設備の通電状態を維持でき、使用と携帯に便利である。
【図面の簡単な説明】
【００１６】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の電子決済システム付きの移動端末の全体構成略図
【図２】図２は図１におけるＡ―Ａ方向からの構成略図
【図３】図３は図１におけるＢの拡大構成略図
【図４】図４は図１におけるＣ―Ｃ方向からの構成略図
【図５】図５は図１におけるＤ―Ｄ方向からの構成略図
【発明を実施するための形態】
【００１８】
図１〜５を参照し、本発明の電子決済システム付きの移動端末は、機体１０を含み、前記機体１０の中には開口溝１１が設置され、前記開口溝１１の右端壁の中にはモータ２０が固定的に設置され、前記開口溝１１の中には回転軸１３によって回転板１２が回転可能に設置され、前記回転軸１３の前端は前記モータ２０に伝動可能に連結され、前記回転板１２にはキーパッド１５が装着され、前記キーパッド１５の左側にはロック溝１４が設置され、前記開口溝１１の前側にはロック装置６０１が設置され、前記ロック装置６０１と前記ロック溝１４との引掛りで前記回転板１２を固定でき、前記ロック装置６０１の下側には動力転換装置６０２が設置され、前記開口溝１１の下側には圧迫伝動装置６０３が設置され、前記圧迫伝動装置６０３と前記動力転換装置６０２との固定的な連結は前記動力転換装置６０２の作動を制御でき、前記圧迫伝動装置６０３の右側には前記開口溝１１と連通した収縮溝５０が設置され、前記収縮溝５０の中には転向軸５３によって収縮板５１が回転可能に設置され、前記収縮板５１にはスクリーン５２が装着され、前記スクリーン５２の右側にはスキャナ５４が装着され、前記収縮板５１の下端壁の中には支持棒５５が回転可能に設置され、前記収縮溝５０の下側には支持装置６０４が設置され、前記支持棒５５の他端と前記支持装置６０４とは伝動可能に連結され、前記支持装置６０４の下側には太陽エネルギー装置６０５が設置され、前記太陽エネルギー装置６０５の右側には密封装置６０６が設置され、前記密封装置６０６は前記太陽エネルギー装置６０５を密封することで前記太陽エネルギー装置６０５を保護でき、前記回転板１２が回転して開き、前記支持装置６０４に前記収縮板５１を連動させ、前記収縮板５１は上昇し、且つ傾斜し、前記スプライン５２と前記スキャナ５４との使用に便利であり、前記太陽エネルギー装置６０５は太陽エネルギーを電気に変えて装置全体の作動に供給できる。
【００１９】
好ましくは、前記スキャナ５４と前記スクリーン５２とは本発明における電子決済システムと連結され、それにより、前記スキャナ５４は電子支払コードをスキャンし、電子決済システムで取引を行え、また、前記スクリーン５２によって取引の過程と明細を表示できる。
【００２０】
好ましくは、前記ロック装置６０１は前記開口溝１１と連通したロックスライド溝１８を含み、前記ロックスライド溝１８の中にはロックスライドブロック１６がスライド可能に設置され、前記ロックスライドブロック１６の後端は前記ロック溝１４の中に伸びており、前記ロックスライドブロック１６の前端と前記ロックスライド溝１８との間には捻りばね１９が固定的に設置され、前記ロックスライドブロック１６の中には貫通溝１７が設置され、前記ロックスライド溝１８の下側には回し溝２２が連通するように設置され、前記回し溝２２の中には回し棒２１が回転可能に設置され、前記回し棒２１の上端は前記貫通溝１７の中に伸びており、前記回し棒２１の下端には引き紐２３が固定的に設置され、前記引き紐２３の他端と前記動力転換装置６０２とは伝動可能に連結され、前記ロックスライドブロック１６と前記ロック溝１４との引掛りで前記回転板１２の位置を固定できる。
【００２１】
好ましくは、前記動力転換装置６０２は前記開口溝１１と連通した圧迫溝４０を含み、前記圧迫溝４０の中には圧迫ブロック３９がスライド可能に設置され、前記圧迫ブロック３９の下端には圧迫ばね４１が固定的に設置され、前記圧迫ブロック３９の前端には固定棒３８が固定的に設置され、前記固定棒３８の他端と前記動力転換装置６０２とは固定的に連結され、前記圧迫溝４０の右端壁の中には噛合歯車４４が回転可能に設置され、前記噛合歯車４４の左端と前記圧迫ブロック３９とが噛み合っており、前記噛合歯車４４の前端面には第一傘歯車４３が固定的に設置され、前記第一傘歯車４３の右側には第二傘歯車４５が噛み合うように連結され、前記第二傘歯車４５の右端面には歯車軸４６が固定的に設置され、前記歯車軸４６と前記支持装置６０４とは伝動可能に連結され、前記圧迫ブロック３９が昇降し、前記固定棒３８によって前記動力転換装置６０２と前記支持装置６０４との作動を制御できる。  
【００２２】
好ましくは、前記支持装置６０４は前記収縮溝５０と連通した推動溝５６を含み、前記推動溝５６の中には推動ブロック５７が設置され、前記推動ブロック５７の右端と前記支持棒５５とがヒンジで連結され、前記推動ブロック５７の中心にはネジ山軸５８がネジ山によって連結され、前記推動溝５６の左側には噛合溝４７が連通するように設置され、前記ネジ山軸５８の左端は前記噛合溝４７の中に伸びており、且つ前記ネジ山軸５８には第一歯車４９が固定的に設置され、前記歯車軸４６の右端は前記噛合溝４７の中に伸びており、且つ前記歯車軸４６には第二歯車４８が固定的に設置され、前記第二歯車４８と前記第一歯車４９とは噛み合っており、前記ネジ山軸５８の回転は前記推動ブロック５７を移動させることができ、それにより、前記支持棒５５によって前記収縮板５１に収縮作業を行わせる。
【００２３】
好ましくは、前記太陽エネルギー装置６０５は外部と連通した移動チャンバ６２を含み、前記移動チャンバ６２の下端壁にはラック６８が固定的に設置され、前記移動チャンバ６２の中には移動ブロック６３がスライド可能に設置され、前記移動チャンバ６２の外側には移動装置６０７が設置され、前記移動装置６０７が作動し前記移動ブロック６３を移動させ、前記移動ブロック６３には蓄電池９０が設置され、前記蓄電池９０の左側には伝動チャンバ６４が設置され、前記伝動チャンバ６４の中には伝動歯車６５が回転可能に設置され、前記伝動歯車６５と前記ラック６８とは噛み合うことができ、前記伝動歯車６５の右側には第三傘歯車６６が噛み合うように連結され、前記第三傘歯車６６の軸心には心軸６７が固定的に設置され、前記移動ブロック６３の右端面には前後対称の固定板６９が固定的に設置され、前記心軸６７の右端は前記固定板６９の間に伸びており、且つ前記心軸６７には第四傘歯車７０が固定的に設置され、前記第四傘歯車７０の後側には第五傘歯車７１が噛み合うように連結され、前記固定板６９の間には連結軸７３が回転可能に設置され、前記連結軸７３にはソーラーパネル７４が固定的に装着され、前記ソーラーパネル７４の中には回転溝７５が設置され、前記回転溝７５の中にある前記連結軸７３には固定転輪７６が固定的に設置され、前記固定転輪７６と前記第五傘歯車７１とはタイミングベルト７２によって伝動可能に連結され、前記ソーラーパネル７４は太陽エネルギーを電気に変えて利用できる。
【００２４】
好ましくは、前記ソーラーパネル７４と前記蓄電池９０とは通電可能に連結され、それにより、前記ソーラーパネル７４は太陽エネルギーを電気に変えた後に、電気を蓄電池９０の中に貯蔵できる。
【００２５】
好ましくは、前記移動装置６０７は前後対称で、且つ前記移動チャンバ６２と連通した移動ガイド溝７７を含み、前記移動ガイド溝７７の中には移動親ねじ７９が回転可能に設置され、前記移動親ねじ７９には移動ガイドブロック７８がネジ山によって連結され、前記移動ガイドブロック７８と前記移動ブロック６３とは固定的に連結され、前記移動親ねじ７９の左端は連結ベルト８０によって伝動可能に連結され、前側の前記移動親ねじ７９と前記動力転換装置６０２とは伝動可能に連結され、前記移動装置６０７は前記移動ブロック６３の水平移動を連動させることができる。
【００２６】
好ましくは、前記密封装置６０６は昇降溝５９を含み、前記昇降溝５９と前記移動チャンバ６２とは連通しており、前記昇降溝５９の中には密封板６０がスライド可能に設置され、前記密封板６０の下端と前記移動チャンバ６２の下端壁とが当接しており、前記密封板６０の上端と前記回転板１２とが当接しており、前記密封板６０の左端面には前記密封板６０を復位させることができる復位ユニット６１が固定的に設置され、前記密封板６０が前記移動チャンバ６２を密封することで、前記ソーラーパネル７４を保護できる。
【００２７】
好ましくは、前記動力転換装置６０２は転換チャンバ２９を含み、前記転換チャンバ２９の中には転換ブロック２７が設置され、前記転換ブロック２７の下端には伸縮ばね３０が固定的に設置され、前記転換ブロック２７の後端と前記固定棒３８とが固定的に連結され、前記転換ブロック２７の中にはモータ２８が装着され、前記モータ２８の上下端にはスプラインスリーブ３１が対称的に装着され、前記転換チャンバ２９の上側には糸巻溝２４が連通するように設置され、前記糸巻溝２４の中には連結スプライン軸２６が回転可能に設置され、前記連結スプライン軸２６は上側の前記スプラインスリーブ３１とスプラインで連結され、前記連結スプライン軸２６には糸巻輪２５が固定的に設置され、前記引き紐２３の一端は前記糸巻溝２４の中に伸びており、且つ前記糸巻輪２５に巻き付いており、前記転換チャンバ２９の下側には空きチャンバ３２が連通するように設置され、前記空きチャンバ３２の中には伝動スプライン軸３３によって第六傘歯車３４が回転可能に設置され、前記伝動スプライン軸３３は下側の前記スプラインスリーブ３１とスプラインで連結されることができ、前記第六傘歯車３４の右側には第七傘歯車３５が噛み合うように連結され、前記第七傘歯車３５と前側の前記移動親ねじ７９とは伝動ベルト３６によって伝動可能に連結され、前記モータ２８は前記ロック装置６０１の作動と前記移動装置６０７の作動とをそれぞれ駆動できる。
【００２８】
初期状態では、収縮板５１は収縮溝５０の中に収納され、ソーラーパネル７４は移動チャンバ６２の中に収納され、この時、密封板６０は移動チャンバ６２を密封しており、復位ユニット６１は圧縮状態にあり、上側のスプラインスリーブ３１と連結スプライン軸２６とがスプラインで連結されており、下側のスプラインスリーブ３１と伝動スプライン軸３３とは連結されておらず、それにより、装置全体が収縮され、携帯に便利である。
【００２９】
使用時に、モータ２０が作動し回転板１２を駆動して百八十度回転させ、回転板１２を水平状態にさせ、それにより、密封板６０は復位ユニット６１の弾性で上昇し、移動チャンバ６２を開け、この時、回転板１２は圧迫ブロック３９を押して降下させ、それにより、噛合歯車４４は回転し、さらに伝動によってネジ山軸５８を回転させ、そして推動ブロック５７は右へ移動し、支持棒５５によって収縮板５１に転向軸５３にめぐって回転させ、スクリーン５２とスキャナ５４とは推動溝５６の外まで上昇し、使用に便利であり、キーパッド１５で電子決済の取引金額又は支払暗証番号を入力し、スクリーン５２は取引の過程と明細を表示でき、スキャナ５４は電子支払コードをスキャンし支払うことができ、圧迫ブロック３９が降下する時に、固定棒３８によって転換ブロック２７の降下を連動させ、そして下側のスプラインスリーブ３１と伝動スプライン軸３３とはスプラインで連結され、設備の通電状態が解除された時に、モータ２８が第七傘歯車３５の回転を駆動し、伝動ベルト３６によって移動親ねじ７９を回転させ、そして移動ガイドブロック７８は移動ブロック６３を右へ移動連動させ、ソーラーパネル７４は移動チャンバ６２の外側に移動し、伝動歯車６５とラック６８とが噛み合った時に、伝動歯車６５が回転し第五傘歯車７１を回転連動させ、タイミングベルト７２によって固定転輪７６にソーラーパネル７４を回転連動させ、そしてソーラーパネル７４の位置角度を調節でき、ソーラーパネルの利用率を最大限に上げることができ、転換できた電気は蓄電池９０の中に貯蔵され、移動端末の使用に供給できる。
【００３０】
本発明のメリットは：本発明の移動端末は折り畳んで収縮でき、非使用時に、キーパッドと、スクリーンと、スキャナとは機体内部に囲まれ、安全性を向上させ、装置の使用寿命を延ばし、また、移動端末には太陽エネルギーによる発電装置が設置され、設備の通電状態を維持でき、使用と携帯に便利である。
【００３１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020198062.tif 000003
【図２】
2020198062.tif 000004
【図３】
2020198062.tif 000005
【図４】
2020198062.tif 000006
【図５】
2020198062.tif 000007
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
正面視で、機体を含み、
前記機体の中には開口溝が設置され、前記開口溝の右端壁の中にはモータが固定的に設置され、前記開口溝の中には回転軸によって回転板が回転可能に設置され、前記回転軸の前端は前記モータに伝動可能に連結され、前記回転板にはキーパッドが装着され、前記キーパッドの左側にはロック溝が設置され、前記開口溝の前側にはロック装置が設置され、前記ロック装置と前記ロック溝との引掛りで前記回転板を固定でき、前記ロック装置の下側には動力転換装置が設置され、前記開口溝の下側には圧迫伝動装置が設置され、前記圧迫伝動装置と前記動力転換装置との固定的な連結は前記動力転換装置の作動を制御でき、前記圧迫伝動装置の右側には前記開口溝と連通した収縮溝が設置され、
前記収縮溝の中には転向軸によって収縮板が回転可能に設置され、前記収縮板にはスクリーンが装着され、前記スクリーンの右側にはスキャナが装着され、前記収縮板の下端壁の中には支持棒が回転可能に設置され、前記収縮溝の下側には支持装置が設置され、前記支持棒の他端と前記支持装置とは伝動可能に連結され、
前記支持装置の下側には太陽エネルギー装置が設置され、前記太陽エネルギー装置の右側には密封装置が設置され、前記密封装置は前記太陽エネルギー装置を密封することで前記太陽エネルギー装置を保護できることを特徴とする電子決済システム付きの移動端末。
【請求項２】
前記スキャナと前記スクリーンとは本発明における電子決済システムと連結されていることを特徴とする請求項１に記載の電子決済システム付きの移動端末。
【請求項３】
前記ロック装置は前記開口溝と連通したロックスライド溝を含み、
前記ロックスライド溝の中にはロックスライドブロックがスライド可能に設置され、前記ロックスライドブロックの後端は前記ロック溝の中に伸びており、前記ロックスライドブロックの前端と前記ロックスライド溝との間には捻りばねが固定的に設置され、前記ロックスライドブロックの中には貫通溝が設置され、
前記ロックスライド溝の下側には回し溝が連通するように設置され、前記回し溝の中には回し棒が回転可能に設置され、前記回し棒の上端は前記貫通溝の中に伸びており、前記回し棒の下端には引き紐が固定的に設置され、前記引き紐の他端と前記動力転換装置とは伝動可能に連結されていることを特徴とする請求項１に記載の電子決済システム付きの移動端末。
【請求項４】
前記動力転換装置は前記開口溝と連通した圧迫溝を含み、
前記圧迫溝の中には圧迫ブロックがスライド可能に設置され、前記圧迫ブロックの下端には圧迫ばねが固定的に設置され、前記圧迫ブロックの前端には固定棒が固定的に設置され、前記固定棒の他端と前記動力転換装置とは固定的に連結され、
前記圧迫溝の右端壁の中には噛合歯車が回転可能に設置され、前記噛合歯車の左端と前記圧迫ブロックとが噛み合っており、前記噛合歯車の前端面には第一傘歯車が固定的に設置され、前記第一傘歯車の右側には第二傘歯車が噛み合うように連結され、前記第二傘歯車の右端面には歯車軸が固定的に設置され、前記歯車軸と前記支持装置とは伝動可能に連結されていることを特徴とする請求項３に記載の電子決済システム付きの移動端末。
【請求項５】
前記支持装置は前記収縮溝と連通した推動溝を含み、
前記推動溝の中には推動ブロックが設置され、前記推動ブロックの右端と前記支持棒とがヒンジで連結され、前記推動ブロックの中心にはネジ山軸がネジ山によって連結され、
前記推動溝の左側には噛合溝が連通するように設置され、前記ネジ山軸の左端は前記噛合溝の中に伸びており、且つ前記ネジ山軸には第一歯車が固定的に設置され、前記歯車軸の右端は前記噛合溝の中に伸びており、且つ前記歯車軸には第二歯車が固定的に設置され、前記第二歯車と前記第一歯車とは噛み合っていることを特徴とする請求項４に記載の電子決済システム付きの移動端末。
【請求項６】
前記太陽エネルギー装置は外部と連通した移動チャンバを含み、
前記移動チャンバの下端壁にはラックが固定的に設置され、前記移動チャンバの中には移動ブロックがスライド可能に設置され、前記移動チャンバの外側には移動装置が設置され、前記移動装置が作動し前記移動ブロックを移動させ、
前記移動ブロックには蓄電池が設置され、前記蓄電池の左側には伝動チャンバが設置され、前記伝動チャンバの中には伝動歯車が回転可能に設置され、前記伝動歯車と前記ラックとは噛み合うことができ、前記伝動歯車の右側には第三傘歯車が噛み合うように連結され、前記第三傘歯車の軸心には心軸が固定的に設置され、
前記移動ブロックの右端面には前後対称の固定板が固定的に設置され、前記心軸の右端は前記固定板の間に伸びており、且つ前記心軸には第四傘歯車が固定的に設置され、前記第四傘歯車の後側には第五傘歯車が噛み合うように連結され、前記固定板の間には連結軸が回転可能に設置され、前記連結軸にはソーラーパネルが固定的に装着され、前記ソーラーパネルの中には回転溝が設置され、前記回転溝の中にある前記連結軸には固定転輪が固定的に設置され、前記固定転輪と前記第五傘歯車とはタイミングベルトによって伝動可能に連結されていることを特徴とする請求項１に記載の電子決済システム付きの移動端末。
【請求項７】
前記ソーラーパネルと前記蓄電池とは通電可能に連結されていることを特徴とする請求項６に記載の電子決済システム付きの移動端末。
【請求項８】
前記移動装置は前後対称で、且つ前記移動チャンバと連通した移動ガイド溝を含み、
前記移動ガイド溝の中には移動親ねじが回転可能に設置され、前記移動親ねじには移動ガイドブロックがネジ山によって連結され、前記移動ガイドブロックと前記移動ブロックとは固定的に連結され、前記移動親ねじの左端は連結ベルトによって伝動可能に連結され、前側の前記移動親ねじと前記動力転換装置とは伝動可能に連結されていることを特徴とする請求項６に記載の電子決済システム付きの移動端末。
【請求項９】
前記密封装置は昇降溝を含み、
前記昇降溝と前記移動チャンバとは連通しており、前記昇降溝の中には密封板がスライド可能に設置され、前記密封板の下端と前記移動チャンバの下端壁とが当接しており、前記密封板の上端と前記回転板とが当接しており、前記密封板の左端面には前記密封板を復位させることができる復位ユニットが固定的に設置されていることを特徴とする請求項６に記載の電子決済システム付きの移動端末。
【請求項１０】
前記動力転換装置は転換チャンバを含み、
前記転換チャンバの中には転換ブロックが設置され、
前記転換ブロックの下端には伸縮ばねが固定的に設置され、前記転換ブロックの後端と前記固定棒とが固定的に連結され、前記転換ブロックの中にはモータが装着され、前記モータの上下端にはスプラインスリーブが対称的に装着され、
前記転換チャンバの上側には糸巻溝が連通するように設置され、前記糸巻溝の中には連結スプライン軸が回転可能に設置され、前記連結スプライン軸は上側の前記スプラインスリーブとスプラインで連結され、前記連結スプライン軸には糸巻輪が固定的に設置され、前記引き紐の一端は前記糸巻溝の中に伸びており、且つ前記糸巻輪に巻き付いており、
前記転換チャンバの下側には空きチャンバが連通するように設置され、前記空きチャンバの中には伝動スプライン軸によって第六傘歯車が回転可能に設置され、前記伝動スプライン軸は下側の前記スプラインスリーブとスプラインで連結されることができ、前記第六傘歯車の右側には第七傘歯車が噛み合うように連結され、前記第七傘歯車と前側の前記移動親ねじとは伝動ベルトによって伝動可能に連結されていることを特徴とする請求項８に記載の電子決済システム付きの移動端末。
【手続補正書】
【提出日】令和2年3月20日(2020.3.20)
【手続補正１】
【補正対象書類名】特許請求の範囲
【補正対象項目名】請求項６
【補正方法】変更
【補正の内容】
【請求項６】
前記太陽エネルギー装置は外部と連通した移動チャンバを含み、
前記移動チャンバの下端壁にはラックが固定的に設置され、前記移動チャンバの中には移動ブロックがスライド可能に設置され、前記移動チャンバの外側には移動装置が設置され、前記移動装置が作動し前記移動ブロックを移動させ、
前記移動ブロックには蓄電池が設置され、前記蓄電池の左側には伝動チャンバが設置され、前記伝動チャンバの中には伝動歯車が回転可能に設置され、前記伝動歯車と前記ラックとは噛み合うことができ、前記伝動歯車の右側には第三傘歯車が噛み合うように連結され、前記第三傘歯車の軸心には心軸が固定的に設置され、
前記移動ブロックの右端面には前後対称の固定板が固定的に設置され、前記心軸の右端は前記固定板の間に伸びており、且つ前記心軸には第四傘歯車が固定的に設置され、前記第四傘歯車の後側には第五傘歯車が噛み合うように連結され、前記固定板の間には連結軸が回転可能に設置され、前記連結軸にはソーラーパネルが固定的に装着され、前記ソーラーパネルの中には回転溝が設置され、前記回転溝の中にある前記連結軸には固定転輪が固定的に設置され、前記固定転輪と前記第五傘歯車とはタイミングベルトによって伝動可能に連結されていることを特徴とする請求項５に記載の電子決済システム付きの移動端末。